(57)【要約】      （修正有）【課題】発熱方法として化学的熱源を用いつつも、化学的熱源である発熱剤に到達するアロマ液の流量を調節することにより、アロマ液の香気成分の揮発量に時間的差異を付与して、アロマ液添加直後においては、アロマ液の香気成分の速効的な蒸散により香りを空気中へ速やかに拡散できると共に、香気成分の持続的な蒸散により時間を気にすることなく香りの拡散を楽しめ、しかも低コストで生産できるアロマセットを提供する。【解決手段】有底筒状のポット１０の最下層に水と反応して発熱する発熱剤３１を収容し、更にその上層にアロマ液５１を含浸可能とした多孔質体４０を積層すると共に、多孔質体４０の上面に多孔質体４０にアロマ液５１を注入するためのアロマ液収容ケース５０を積層するためにケース５０をポット１０中に収納し、或いは別途ポット１０外に装備してなることとした。【選択図】図２
2017078529.tif 000002
【特許請求の範囲】
【請求項１】
有底筒状のポットの最下層に水と反応して発熱する発熱剤を収容し、
更にその上層にアロマ液を含浸可能とした多孔質体を積層すると共に、
前記多孔質体の上面に前記多孔質体にアロマ液を注入するためのアロマ液収容ケースを積層するために該ケースをポット中に収納し、或いは別途ポット外に装備したことを特徴とするアロマセット。
【請求項２】
前記多孔質体の上面にアロマ液収容ケースを載置することにより上方よりアロマ液収容ケースの重量を介して前記多孔質体を押圧するように構成したことを特徴とする請求項１に記載のアロマセット。
【請求項３】
前記多孔質体は、前記ポットの内壁全周に亘って接触していることを特徴とする請求項１又は２に記載のアロマセット。
【請求項４】
前記多孔質体に形成した多数の小孔は、多孔質体外周側近傍程小径口としたことを特徴とする請求項１〜３いずれか１項に記載のアロマセット。
【請求項５】
前記ポットの壁部に、熱の散逸を防止する断熱手段を設けたことを特徴とする請求項１〜４いずれか１項に記載のアロマセット。
【請求項６】
前記ポットの壁部に、前記多孔質体を前記ポット内で係止する係止手段を配設したことを特徴とする請求項１〜５いずれか１項に記載のアロマセット。
【請求項７】
有底筒状のポットの最下層に水と反応して発熱する発熱剤を収容し、
更にその上層にアロマ液を含浸可能とした多孔質体を積層すると共に、
滴下初期は大量の滴下アロマ液により発熱剤の発熱量を大とすると共に漸次滴下アロマ液の減少に伴い発熱剤の発熱量を減少させて、滴下初期はアロマ液の速効的に蒸散を生起しつつ滴下後期はアロマ液の徐放を行うようにしたアロマ液の蒸散方法。
【発明の詳細な説明】
【技術分野】
【０００１】
本発明はアロマセット、及びアロマ液の蒸散方法に関する。
【背景技術】
【０００２】
従来より、日常的な生活空間、例えば自宅の一室や浴室の空気中に香りを拡散させて、香りそのものを楽しむだけでなく、使用者をリラックスさせて精神的な癒しの場を日常生活に作り出すためのアロマテラピーに関する種々のアロマグッズが提供されている。
【０００３】
このようなアロマグッズとしては、例えば火気を利用して香りを拡散させる香炉やアロマキャンドル、香気成分を空気中に噴霧して気化させるスプレー、電源による超音波で香気成分をミスト状にするアロマディフューザーや水と反応して発熱する発熱剤等の化学的熱源を利用して香気成分を気化させるアロマセットなどが提供されている。
【０００４】
なかでも、化学的熱源を利用したアロマセットとしては、アロマポット容器の底部に配設した発熱剤に水と香気成分を含有するアロマ液を直接加え、発熱剤によって生じた反応熱によりアロマ液を加熱して香気成分を気化させるよう構成したアロマポットを用いたアロマセットや（例えば、特許文献１）、水と発熱剤との反応により生じた熱水蒸気をアロマポット内部に対流させて、アロマポット容器の上部に貯溜したアロマ液を間接的に加熱して香気成分を揮発させるように構成したアロマポットを用いたアロマセット（例えば、特許文献２）が提案されている。
【０００５】
これらの化学的熱源を用いたアロマセットによれば、使用に際して火気が不要であることの安全性、持ち運びを容易とする携帯性、手間が少ないことの利便性、製造にかかる費用が抑えられる経済性の面で、他の様式のアロマグッズに比べて優れているとしている。
【先行技術文献】
【特許文献】
【０００６】
【特許文献１】特許第４２９３７４６号
【特許文献２】特開２００８−１１９１０５号
【発明の概要】
【発明が解決しようとする課題】
【０００７】
しかしながら、水と香気成分を含有するアロマ液を発熱剤に直接加えて蒸散させるアロマポットは、水と発熱剤との熱反応開始からアロマ液に含まれるほとんどの香気成分が短時間で揮発してしまい、香気成分が長持ちせず時間を気にすることなく香りを楽しむことができなかった。
【０００８】
こうした問題を解決するために、発熱剤に他の材料を混合することで発熱量を制御して香気成分の揮発量を調節する方法も提案されているが、このような発熱剤を用いたアロマセットは経済的な観点で好ましくない。
【０００９】
また、発熱剤と水との反応による熱水蒸気を介してアロマポット上部に貯溜した香気成分を間接的に加熱して揮発させるように構成したアロマセットでは、時間を気にすることなくルームフレグランスを楽しむことができるものの、水蒸気熱によるアロマ液の香気成分の揮発に要する時間や気化量が一定でなく、香りの速効的な拡散ができない問題があった。
【００１０】
また、発熱剤を用いたアロマセットは、いったん使用した場合には、たとえ水を含むアロマ液又は水の添加を中断しても、発熱剤が空気中の水分を吸収して反応を続けて劣化するため、繰り返しアロマセットを使用するためには発熱剤を交換する手間がかかる。
【００１１】
従って、発熱剤を用いたアロマセットは一回使い切りタイプとすることが好ましいが、アロマ液中の香気成分の蒸散による使用空間への香りの速効性や持続性を兼ねた使い切りタイプのアロマセットを生産するためには、上述した理由から結果的に材料費や生産費等のコストがかかってしまい、使用者に購入を躊躇させて普及しない要因の一つとなっていた。
【００１２】
本発明は、斯かる事情に鑑みてなされたものであって、水と反応する発熱剤を用いながらも、アロマ液の蒸散量を調節する機構を備えることで、香気成分を速やかに拡散をしつつも、香りの持続的な拡散を実現でき、しかも安価に製造できるアロマセットを提供する。また、アロマ液の蒸散方法についても提供する。
【課題を解決するための手段】
【００１３】
上記従来の課題を解決するために、本発明に係るアロマセットでは、（１）有底筒状のポットの最下層に水と反応して発熱する発熱剤を収容し、更にその上層にアロマ液を含浸可能とした多孔質体を積層すると共に、前記多孔質体の上面に前記多孔質体にアロマ液を注入するためのアロマ液収容ケースを積層するために該ケースをポット中に収納し、或いは別途ポット外に装備したこととした。
【００１４】
また、本発明に係るアロマセットでは、以下の点に特徴を有する。
（２）前記多孔質体の上面に前記アロマ液収容ケースを載置することにより上方よりアロマ液収容ケースの重量を介して前記多孔質体を押圧するように構成したこと。
（３）前記多孔質体は、前記ポットの内壁全周に亘って接触していること。
（４）前記多孔質体に形成した多数の小孔は、多孔質体外周側近傍程小径口としたこと。
（５）前記ポットの壁部に、熱の散逸を防止する断熱手段を設けたこと。
（６）前記ポットの壁部に、前記多孔質体を前記ポット内で係止する係止手段を配設したこと。
【００１５】
さらに、本発明に係るアロマ液の蒸散方法では、（７）有底筒状のポットの最下層に水と反応して発熱する発熱剤を収容し、更にその上層にアロマ液を含浸可能とした多孔質体を積層すると共に、滴下初期は大量の滴下アロマ液により発熱剤の発熱量を大とすると共に漸次滴下アロマ液の減少に伴い発熱剤の発熱量を減少させて、滴下初期はアロマ液の速効的に蒸散を生起しつつ滴下後期はアロマ液の徐放を行うようにした。
【発明の効果】
【００１６】
本発明に係るアロマセットによれば、有底筒状のポットの最下層に水と反応して発熱する発熱剤を収容し、更にその上層にアロマ液を含浸可能とした多孔質体を積層すると共に、前記多孔質体の上面に前記多孔質体にアロマ液を注入するためのアロマ液収容ケースを積層するために該ケースをポット中に収納し、或いは別途ポット外に装備したため、注入したアロマ液が多孔質体に一定量保持されることにより多孔質体から流下するアロマ液の液量を可及的抑制しつつ、アロマ液が発熱剤に到達する時間を遅延させて、蒸散するアロマ液の液量を調節することができる一方、発熱剤の発熱後には、発熱剤上方位置の多孔質体に一定量保持されたアロマ液を発熱剤の余熱により香気成分の蒸散を持続させることができる。さらには、生産コストがかからず、持ち運びや使用を容易にして、即座にアロマテラピーを楽しめる簡易型のアロマセットを提供することができる
【００１７】
また、前記多孔質体の上面に、アロマ液収容ケースを載置して上方よりアロマ液収容ケースの重量を介して前記多孔質体を押圧するように構成したため、多孔質体を可撓性の素材で形成した場合に、アロマ液収容ケースの重量により多孔質体が略中央部から下方に向って撓むことで多孔質体の下端面略中央が引き伸ばされて、多孔質体の下端面略中央部にある多数の小孔を拡開させて開口癖をつけ、アロマ液を多孔質体に含浸させた場合には、多孔質体の下端面略中央部からアロマ液を発熱剤の略中央付近に速やかに滴下にさせることができる。
【００１８】
また、前記多孔質体は、前記ポットの内壁全周に亘って接触していることとしたため、注入したアロマ液を多孔質体に確実に保持しつつポット内部の下方位置に配設した発熱剤を略密閉することができる。また、発熱後に発生した香気成分を含む熱水蒸気が、上方位置の多孔質体の小孔を通過する際に、多孔質体の小孔に一定量保持されたアロマ液と置換してアロマ液を発熱剤へ滴下させつつ、多孔質体内部から多孔質体を加温してアロマ液の香気成分の揮発を促し持続的な香りの拡散を保つことができる。さらに、ポットを熱伝導率の高い材料で形成した場合には、多孔質体と接触するポット側面からの熱により保持されたアロマ液を加熱することができる。
【００１９】
また、前記多孔質体に形成した多数の小孔は、多孔質体外周側近傍程小径口としたこととしたため、多孔質体のうち、外周側近傍の領域（以下、外周側近傍領域と称す。）にアロマ液を一定量保持しつつ、中央部の領域（以下、中央部領域と称す。）、から滴下して蒸散するアロマ液の液量の調節することができる。また、発熱剤の発熱により生起した熱水蒸気が、中央部領域を通過する際に同領域に保持されているアロマ液の香気成分を揮発させて香気成分濃度を高め、香りの速効性を向上させる一方、外周側近傍領域に保持されたアロマ液の液量を変化させることなく多孔質体内部から外周側近傍領域を加熱して持続的に香気成分の蒸散をすることができる。
【００２０】
また、前記ポットの壁部に、熱の散逸を防止する断熱手段を設けることとすれば、発熱剤が発熱中であってもアロマポットを把持して移動することができ、しかもポット内部の熱の外部放射を抑制して保温熱による香気成分の揮発を持続させることができる。
【００２１】
また、前記ポットの壁部に、前記多孔質体を前記ポット内で係止する係止手段を配設すれば、アロマ液を含浸した多孔質体の自重や多孔質体の下方で発生した熱水蒸気に伴う空気膨張によりアロマポット内の所定位置に配設した多孔質体が上下方向ずれることを防止し、多孔質体に保持されるアロマ液の液量と、多孔質体から滴下するアロマ液の液量を一定にして、アロマ液の蒸散量を安定させることができる。
【００２２】
また、本発明に係るアロマ液の蒸散方法では、有底筒状のポットの最下層に水と反応して発熱する発熱剤を収容し、更にその上層にアロマ液を含浸可能とした多孔質体を積層すると共に、滴下初期は大量の滴下アロマ液により発熱剤の発熱量を大とすると共に漸次滴下アロマ液の減少に伴い発熱剤の発熱量を減少させて、滴下初期はアロマ液の速効的に蒸散を生起しつつ滴下後期はアロマ液の徐放を行うようにしたため、蒸散させる熱源として発熱剤を使用しているにもかかわらず、香気成分を速やかに拡散させると共に、一定時間の持続的な拡散を実現できる。
【図面の簡単な説明】
【００２３】
【図１】本発明の実施形態１に係るアロマセットの使用状態を示した説明図である。
【図２】本発明の実施形態１に係るアロマセットの構成を示した説明図である。
【図３−１】アロマ液のアロマポット内部における蒸散機構を示した説明図である。
【図３−２】アロマ液のアロマポット内部における蒸散機構を示した説明図である。
【図４】アロマセットにおける香料成分の放出量と放出時間との関係を示す説明図である。
【図５】本発明の実施形態２に係るアロマセットの構成を示した説明図である。
【図６】本発明の実施形態２に係るアロマセットの多孔質体の構成を示した説明図である。
【図７】本発明の実施形態３に係るアロマセットの構成を示した説明図である。
【発明を実施するための形態】
【００２４】
本発明は、発熱方法として化学的熱源を用いつつも、化学的熱源である発熱剤に到達するアロマ液の流量を調節することにより、アロマ液の香気成分の揮発量に時間的差異を付与して、アロマ液添加直後においては、アロマ液の香気成分の速効的な蒸散により香りを空気中へ速やかに拡散できると共に香気成分の持続的な蒸散により、使用者が時間を気にすることなく香りを楽しむことができ、しかも低コストで生産できる簡易型のアロマセットに関する。
【００２５】
特に、本実施形態に係るアロマセットに特徴的には、有底筒状のポットの最下層に水と反応して発熱する発熱剤を収容し、更にその上層にアロマ液を含浸可能とした多孔質体を積層すると共に、前記多孔質体の上面に前記多孔質体にアロマ液を注入するためのアロマ液収容ケースを積層するために該ケースをポット中に収納し、或いは別途ポット外に装備してなることとしている。
【００２６】
また、有底筒状のポットの最下層に水と反応して発熱する発熱剤を収容し、更にその上層にアロマ液を含浸可能とした多孔質体を積層して構成したアロマポットを単体とした場合であっても、使用者が別途好みの香気成分と水とを含むアロマ液を任意に選択して同アロマポットに使用することもできる。
【００２７】
ここで、アロマセットを構成するアロマポットのポット本体は、発熱剤によって生じる１００℃前後の反応熱に耐え得る耐熱性の素材で有底筒状に形成されていればよい。例えばアルミニウムやスチールなどの金属材料、ポリエチレンやポリプロピレンなどの耐熱性樹脂材料を採用してもよい。
【００２８】
ポット本体の容量は、アロマ液を添加して使用した際に、速効的且つ持続的な香気成分の蒸散が可能とする発熱剤と多孔質体とを収容できる大きさであればよい。例えばポット本体の容量を５０ｍｌ〜２５０ｍｌとすれば、香料成分について速効的及び持続的な蒸散を十分としつつ、アロマ液を収容したアロマ液収容ケースをアロマポット内部に収納可能として携帯性に優れたアロマセットにすることができる。
【００２９】
発熱剤は、水と反応して発熱するものであればよい。例えば酸化カルシウムを採用することとすれば材料費を抑えることができる。酸化カルシウムを発熱剤として採用した場合には、粒度が１０ｍｍ以下の粉体又は粒体で、酸化カルシウム含量が９０％以上であればよい。
【００３０】
また、このような発熱剤を耐熱性及び透水性を有する材料からなる包装袋に収納密封すれば、有底筒状のポットの最下層に発熱剤を配置した場合に、ポット内部で発熱剤が散在せずにアロマ液と反応する発熱剤の量を一定とすることができる。
【００３１】
発熱剤の分量は、発熱反応の持続時間と添加するアロマ液に含まれる水の量に応じて任意に調節することができる。発熱剤に加える反応水は、多孔質体に含浸される量を加味して、発熱剤に到達する水により発熱剤を完全に反応させる容量であればよい。例えば発熱剤１重量部に対して発熱剤に到達する水を１〜２重量部とすれば、持続時間を長くして十分な反応熱を得ることができる。
【００３２】
アロマ液は、発熱剤に発熱反応を生起させる容量の水と芳香の源となる香気成分を含んでいればよい。例えばアロマ液中に含有される香気成分を４０〜６０ｖ/ｖ％とすれば、香気成分の蒸散と発熱剤の熱反応について十分な持続時間を得ることができる。
【００３３】
アロマ液に含まれる香気成分は、揮発して芳香を発するものであればよく、合成香料や天然香料、又はこれらを配合した調合香料であってもよい。なお、液体の香料であれば希釈が容易となる。また、香気成分として精油を選択した場合には、適量の界面活性剤を添加することでアロマ液を香気成分と水の水和物として香料成分と水との分離を防止できる。
【００３４】
アロマ液を収容するアロマ液収容ケースは、アロマ液を収容して完全密封できると共に、アロマポット内へアロマ液を注入する際に開封可能に構成されていればよい。例えば可撓性の樹脂材料でアロマポット内部に収納可能に構成することで、アロマポット中にアロマ液収容ケースを収納したアロマセットとすることができる。また、アロマセットの使用時には、アロマ液収容ケースを押圧してアロマ液をアロマ液収容ケース内部に残らないよう過不足なく、しかも速やかにアロマポット内へ注入することができる。
【００３５】
また、多孔質体は、上方からアロマ液を添加した場合に、アロマ液を多孔質体内部に一定量保持しつつ、多孔質体からアロマ液を滴下可能とする多数の小孔を形成した耐熱性の多孔質材料であればよい。例えば軽石やゼオライト、不織布やスポンジ、又はこれらを組み合わせた材料を採用できる。また、可撓性のスポンジであれば、耐熱性や経済性の観点からメラミン材料やポリウレタン材料が好適である。
【００３６】
また、多孔質体に形成した多数の小孔は、多孔質体外周側近傍程小径口としてもよい。具体的には、多孔質体をアロマポット内部に配設した際に、多孔質体の外周側近傍領域における小孔が、多孔質体の中央部領域における小孔に比して孔径が小さくなるように構成してもよい。
【００３７】
例えば互いに異なる孔径を有する複数の多孔質体同士を組み合わせて構成してもよいし、平面視においてポット本体より幅広に形成した耐熱性及び可撓性を有する多孔質体を、多孔質体の外周側を圧縮するようにポット本体の上下所定位置に配置することで外周側近傍領域の小孔が小さくなるようにしてもよい。
【００３８】
また、多孔質体の大きさや形状は、一定量のアロマ液を保持及び滴下可能で、有底筒状のポット内部の発熱体の上方位置に配設可能であれば特に限定されることはない。
【００３９】
断熱手段は、使用者がアロマポットを把持できる程度に断熱でき、しかもポット内部から外部への熱放射を可及的抑制して、発熱剤の熱反応終了後においてもアロマポット内部に発生した余熱の保温ができればよい。例えばアロマポット本体を二重壁構造としてもよいし、アロマポット壁面に発泡シートなどのシートタイプの断熱素材を貼着してもよい。
【００４０】
断熱素材としては、グラスウールやロックウールなどの繊維系断熱素材、ウレタンフォーム、フェノールフォーム、ポリスチレンフォームや発泡ゴムなどの発泡系断熱素材、又はこれらの郡から選択される複合物であって、アルミニウムやセラミックなどの遮熱素材と組み合わせたものであってもよい。
【００４１】
また、断熱手段としてアロマポットの外周を被覆する着脱自在の断熱カバーを別体として備えることとすれば、様々な意匠が施された断熱カバーを使用者が任意に選択することができ、しかもアロマセットを使用する度に断熱カバーを破棄することなく環境に配慮することができる。
【００４２】
多孔質体の係止手段は、一定量のアロマ液を多孔質体が保持又は滴下可能なポット内部の所定位置に多孔質体を係止できるように構成していればよい。例えば上述の如く、平面視においてポット本体より幅広に形成した耐熱性及び可撓性を有する多孔質体を、多孔質体の外周側を圧縮してポット本体の上下所定位置に配置することにより、多孔質体が拡開しようと弾性応力により配置位置に係止することとしてもよい。また、配設した多孔質体の下端面と上端面を上下方向から支持する仕切板をアロマポット内壁周面に設けてもよいし、アロマポットの外側壁面を多孔質体の配設位置に沿って内側に凹ませて多孔質体を挟持して係止することとしてもよい。
【００４３】
〔実施例１〕
以下、本実施例１に係るアロマセットについて、図面を参照して説明する。図１は、実施例１に係るアロマポット１０を備えたアロマセットＡの使用状態を示した説明図である。
【００４４】
アロマセットＡは、使用者Ｐがアロマ液収容ケース５０に収容したアロマ液５１をアロマポット１０の上方開口部２５から添加することにより、香気成分Ｆを蒸散させることでアロマテラピーを可能としている。
【００４５】
なお、断熱手段として、外周に意匠の施された有底筒状の断熱カバー６０がアロマポット１０に装着されており、発熱している状態のアロマポット１０の外周を被包している。
【００４６】
図２は、本実施例１に係るアロマセットＡの構成を示す縦断面図である。すなわち、有底筒状のポット本体２０の最下層に水と反応して発熱する発熱剤３１を収容し、更にその上層にアロマ液５１を含浸可能とした多孔質体４０を積層すると共に、前記多孔質体の上面に前記多孔質体にアロマ液５１を注入するためのアロマ液収容ケース５０を積層するために該ケースをアロマポット１０中に収納したアロマセットＡとしている。
【００４７】
より具体的には、アロマセットＡは、上方開口部２５を有する有底筒状のポット本体２０の内部下面に水と反応して発熱する発熱体３０を配設し、発熱体３０の上方位置にアロマ液５１を含浸させる多孔質体４０を配設して構成したアロマポット１０に、同アロマポット１０内部の多孔質体４０上端面にアロマ液５１を収容したアロマ液収容ケース５０を載置して構成している。
【００４８】
アロマポット１０は、内部空間を上下方向に大きく３段に分けて構成している。下段位置の空間は発熱体収容空間Ｓ３であり、ポット本体２０底部に発熱体３０が配置されている。中段位置の空間は多孔質体配置空間Ｓ２であり、多孔質体４０の外周側面がポット本体２０の所定位置内周壁面に亘って密着するように配置されている。上段位置は整流空間Ｓ１であり、アロマポット１０内部で発生した芳香をアロマポット１０の上方へ誘導するように機能し、アロマ液収容ケース５０を収容しておく空間としても機能する。
【００４９】
ポット本体２０は、耐熱性のスチール材料で、上方開口部２５を有した有底円筒状に形成している。ポット本体２０の鉛直方向略中央部、すなわちポット本体２０の中段位置の多孔質体配置空間Ｓ２には、アロマ液５１を含浸させる多孔質体４０が配設されている。また、配設した多孔質体４０が、多孔質体４０の上方を整流空間Ｓ１として、多孔質体４０の下方を発熱体収容空間Ｓ３として、ポット本体２０内部をそれぞれ区画している。
【００５０】
多孔質体４０は、耐熱性及び可撓性を有するポリウレタン材料のスポンジであり、多孔質体４０外周側壁をポット本体２０の鉛直方向略中央部の内周壁に圧着可能な円柱状に形成している。具体的には、多孔質体４０の径はポット本体２０の径より幅広に形成しており、ポット本体２０に多孔質体４０を配設した際に多孔質体４０の外周側壁がポット本体２０の内周壁に押圧密着して、多孔質体４０がポット本体２０の鉛直方向略中央部に係止固定される。
【００５１】
このような圧着状態において、多孔質体４０に形成した多数の小孔は外周側近傍程圧縮されて小径口となり、多孔質体４０は、平面視略中央部位置の中央部領域Ｍと、中央部領域Ｍの小孔より小径口とした外周側近傍の外周側近傍領域Ｏとの２層の領域を形成している。
【００５２】
多孔質体４０の中央部領域Ｍは、多孔質体４０に含浸したアロマ液５１を多孔質体４０内部で流下移動させて発熱体３０へ滴下させる中心部として機能すると共に、発熱体３０の熱によりアロマ液５１が加熱されて発生した熱水蒸気が上方に通過する領域として機能する。
【００５３】
また、多孔質体４０の外周側近傍領域Ｏは、中央部領域Ｍに比べて多孔質体４０内部におけるアロマ液５１の流下速度を遅延させると共に、多孔質体４０にアロマ液５１を保持する領域として機能する。
【００５４】
ポット本体２０の底部、すなわち発熱体収容空間Ｓ３には、水と反応して発熱する酸化カルシウムの粒体である発熱剤３１が積層して発熱体３０を形成している。
【００５５】
また、発熱体３０の配設により、ポット本体２０下段の発熱体収容空間Ｓ３には、発熱体３０以外に所定の間隙空間である対流空間Ｓ４が形成されている。すなわち、発熱体３０の上端面と多孔質体４０下端面との間には、対流空間Ｓ４が形成されている。
【００５６】
この対流空間Ｓ４は、多孔質体４０の下端面と発熱体３０の上端面とが密着して多孔質体４０に含浸されたアロマ液５１を発熱体３０が過剰吸収して過熱状態となることを防止し、発熱体３０に到達するアロマ液５１の液量滴下を一定にして発熱反応を安定させると共に、発熱体３０から発生した熱水蒸気が対流する空間として機能する。
【００５７】
水と香気成分Ｆとを混合したアロマ液５１を収容するためのアロマ液収容ケース５０は、可撓性樹脂の容器本体と、着脱自体のキャップとで構成しており、所定容量のアロマ液５１を収容してキャップで閉蓋している。
【００５８】
そして、未使用状態のアロマセットＡは、アロマ液５１を収容したアロマ液収容ケース５０を、前述のごとく構成したアロマポット１０上段位置の整流空間Ｓ１、すなわち多孔質体４０の上端面に載置して収容し、ポット蓋体２３でアロマポット１０の上方開口部２５を閉蓋し、発熱体３０の経時劣化を防止するためにアロマセットＡ周囲全体をフィルム２４で被包し纏着して密封している。
【００５９】
なお、アロマセットＡの使用に際しては、別体として備えた図示しない有底筒状に形成した断熱カバー６０（図１参照）にアロマポット１０の上方開口部２５を塞がないようにアロマポット１０を嵌着してアロマポット１０の外周を断熱カバー６０で被包することで、アロマポット１０内部で発生した反応熱の内部における保温と外周壁を通じた熱の断熱を行うようにしている。
【００６０】
次に、図３を参照しつつ、アロマセットＡの使用時におけるアロマポット１０内部のアロマ液５１の状態変化を説明する。図３は、アロマポット１０の縦断面を示した説明図である。図３−１（ａ）は、アロマポット１０内にアロマ液５１を添加した直後の状態を示し、図３−１（ｂ）は、添加したアロマ液５１が多孔質体４０内部に滲入し滴下を始めた状態を示している。
【００６１】
また、本実施例に係るアロマセットＡおいてアロマ液５１の蒸散機構は大きく、図３−１（ｃ）に示すアロマ液５１添加直後熱反応開始の初期段階、図３−２（ｄ）に示すアロマ液５１添加後熱反応持続状態の中期段階、及び図３−２（ｅ）に示すアロマ液５１添加後熱反応終了後の後期段階の３つに分かれている。
【００６２】
アロマ液５１の多孔質体４０内部への滲入は、多孔質体４０の小孔が気体からアロマ液５１に置換されることで行われる。図３−１（ａ）に示すように、上方開口部２５より添加した直後のアロマ液５１は、多孔質体４０の上端面上に貯溜して徐々に多孔質体４０内部へ滲入している。すなわち、アロマ液５１は、多孔質体４０の上端面のうち中央部領域Ｍから、次いで外周側近傍領域Ｏから多孔質体４０内部に滲入している。
【００６３】
そして、多孔質体４０の上端面から滲入したアロマ液５１は、図３−１（ｂ）に示すように、多孔質体４０内部の中央部領域Ｍを流下しつつ多孔質体４０下端面側に滲出する一方、隣接する外周側近傍領域Ｏ側に浸潤している。
【００６４】
このように多孔質体４０は、多孔質体４０の略全域に亘る小孔がアロマ液５１に置換されて膨潤状態となり多孔質体４０の外周側面とアロマポット１０の内周壁面とがさらに密着して、発熱体３０と対流空間Ｓ４とを上方で略密閉する。
【００６５】
そして、膨潤状態の多孔質体４０において、保持されたアロマ液５１の自重により多孔質体４０内部を流下するアロマ液５１と、添加したアロマ液５１のうち多孔質体４０に対して過飽和となるアロマ液５１とが、図３−１（ｂ）及び図３−１（ｃ）に示すように、多孔質体４０の中央部領域Ｍの下端面から滲出して対流空間Ｓ４へ滴下を始め、発熱体３０の上端面に到達して発熱剤３１へ浸潤することで反応熱を生起する。
【００６６】
この反応熱により、発熱体３０に浸潤したアロマ液５１が加熱されて蒸発し、香気成分Ｆ１（図３−１（ｃ）、点線矢印）を含有する熱水蒸気が生じる。
【００６７】
この熱水蒸気は、対流空間Ｓ４内部で対流して発熱体収容空間Ｓ３を高温状態にしつつ発熱体収容空間Ｓ３の内圧を高めて、多孔質体４０の中央部領域Ｍの下端面から多孔質体４０内部を上方へ移動する。
【００６８】
そして、熱水蒸気が多孔質体４０内部の中央部領域Ｍを上昇して通過する付勢力により、多孔質体４０内部の小孔に保持されたアロマ液５１が小孔から放出されて中央部領域Ｍ下端面側に流下移動して発熱体３０へ滴下されることで、発熱反応を持続させる。
【００６９】
一方で、多孔質体４０内部の小孔内部を通過する熱水蒸気の熱により、保持されたアロマ液５１が加熱されて蒸発する。このため、多孔質体４０を介してアロマポット１０の上方に蒸散される香気成分Ｆ２（図３−１（ｃ）、実線矢印）は、対流空間Ｓ４に対流する熱水蒸気に含まれる香気成分Ｆ１濃度に比べ高濃度となる。
【００７０】
このように、アロマ液５１添加直後の初期段階では、アロマ液５１が大量に滴下することにより発熱剤３１の発熱量が大となり、しかも高濃度状態の香気成分Ｆ２が蒸散されることとなる。このため、整流空間Ｓ１によって案内された香気成分Ｆ２が空気中へ可及的速やかに拡散して、アロマセットＡの使用空間をフレグランスで充満させることができる。
【００７１】
次に、アロマ液５１添加後熱反応持続状態の中期段階について説明する。この中期段階において多孔質体４０の状態は、図３−２（ｄ）に示すように、上部がアロマ液５１から熱水蒸気や空気に置換された空気層、下部が流下したアロマ液５１の保持層となり、発熱体３０へ滴下するアロマ液５１が初期段階よりも減少している状態である。
【００７２】
具体的には、多孔質体４０に保持されたアロマ液５１の流下や蒸発により多孔質体４０の小孔が中央部領域Ｍ上部側から空気や熱水蒸気に徐々に置換されるに伴い、外周側近傍領域Ｏに保持されていたアロマ液５１が中央部領域Ｍにアロマ液５１を補充する如く滲入し、中央部領域Ｍ内部を流下してアロマ液５１の保持層が維持されている。
【００７３】
また、前述の流下や蒸発に伴い、多孔質体４０のアロマ液５１の保持層が徐々に薄くなるにつれて発熱体３０に滴下するアロマ液５１量が減少して、発熱剤３１との発熱量と発生する熱水蒸気の量が減少する。
【００７４】
そして、アロマ液５１添加後熱反応持続状態の中期段階のアロマポット１０からは、通常濃度の香気成分Ｆ１と高濃度の香気成分Ｆ２とが混在して放出される。すなわち、前述のアロマ液５１添加直後の初期段階と同様に多孔質体４０内部の中央部領域Ｍを通過の際に保持されたアロマ液５１の香気成分を揮発させて高濃度状態の香気成分Ｆ２が放出されると共に、多孔質体４０下方位置の対流空間Ｓ４で対流する熱水蒸気による熱により多孔質体４０に保持されたアロマ液５１が加熱されて蒸発することで通常濃度の香気成分Ｆ１が放出される。
【００７５】
高濃度の香気成分Ｆ２は、時間が経つにつれて放出量が減少し、通常濃度の香気成分Ｆ１と高濃度の香気成分Ｆ２との香気成分の放出総量が減少する。
【００７６】
このように、アロマ液５１添加後の中期段階では、発熱体３０と反応するアロマ液５１の滴下量が減少するに伴い、香気成分について経時的に濃度を低くしつつ放出量を減少させながら持続的な放出を可能としている。
【００７７】
次に、アロマ液５１添加後熱反応終了後の後期段階は、図３−２（ｅ）に示すように、発熱体３０がアロマ液５１に含まれる水と反応した後の状態である。すなわち、前述のアロマ液５１添加後の中期段階において、高濃度の香気成分Ｆ２の蒸散が行われていない状態である。
【００７８】
より具体的には、多孔質体４０内部に保持されているアロマ液５１のうち発熱体３０へ滴下可能なアロマ液５１は、初期段階及び中期段階で滴下して発熱体３０との発熱反応が終了し、対流空間Ｓ４には残存する熱水蒸気が対流している。
【００７９】
この対流する熱水蒸気の熱と発熱剤３１の余熱により発熱体収容空間Ｓ３が保温され、多孔質体４０に保持された残りのアロマ液５１を加熱蒸散している。より具体的には、発熱体収容空間Ｓ３の保温熱が、ポット本体２０の多孔質体配置空間Ｓ２の内周壁に伝わり多孔質体４０外周側から、また多孔質体４０下端面側から、多孔質体４０のうち特に外周側近傍領域Ｏに保持された残りのアロマ液５１を加熱して、アロマポット１０から通常濃度の香気成分Ｆ１が徐放されることとなる。
【００８０】
このように、アロマ液５１添加後の後期段階におけるアロマポット１０は、初期段階や中期段階に比べて、より香気成分の放出量を減少させて穏やかな香りを空気中に徐放する。
【００８１】
次に、図４を参照しつつ、アロマセットＡの使用時における香料成分の空気中への放出量と放出時間について説明する。縦軸は、空気中へ放出される香気成分の放出量を示し、横軸は香気成分の放出時間を示している。また、図４のうち（ａ）〜（ｅ）の記号はそれぞれ前述した図３−１（ａ）〜（ｃ）及び図３−２（ｄ）〜（ｅ）に示したアロマセットＡの使用状態に対応している。
【００８２】
図４のうち、アロマ液５１添加直後熱反応開始の初期段階では、発熱剤３１に滴下するアロマ液５１を大量にして発熱剤３１の発熱量を大とすることにより、（ｃ）に示すように高濃度の香気成分Ｆ２が短時間で立ち上がり、しかも放出量を最大として蒸散が一定時間続いている。
【００８３】
そして、（ｄ）に示すように、アロマ液５１添加後熱反応持続状態の中期段階では、香気成分の放出量は緩やかに減少しいき、（ｅ）に示すように、アロマ液５１添加後熱反応終了後の後期段階では、香気成分の放出量はさらに減少して持続的な香気成分の徐放を可能としている。
【００８４】
〔実施例２〕
次に、実施例２について図５及び図６を参照しながら説明する。なお、上述した実施例と同様の構成については同じ符号を付して説明を省略する。図５は、本実施例２に係るアロマセットＢの構成を示した側断面図である。
【００８５】
ポット本体２０の外周側全域には、耐熱性及び可撓性を有するポリエチレン素材で形成した断熱手段として断熱シート６１が貼着されており、アロマポット１０の使用時における安全性及び保温性を高めている。
【００８６】
ポット本体２０の内周面には、多孔質体４０の係止手段として平面視ドーナツ状に形成された上方仕切板２１と下方仕切板２２が、ポット本体２０長手方向の所定間隔を隔てた上下位置に水平に連設されている。
【００８７】
より具体的には、多孔質体４０の高さと略同じ長さになるように間隔を隔てて、ポット本体２０の鉛直方向略中央部近傍の上方位置に凸状の上方仕切板２１と、下方位置に上方仕切板２１より長く延伸した凸状の下方仕切板２２とが、ポット本体２０内壁周面から水平に突出して連設されており、上方仕切板２１と下方仕切板２２との間に多孔質体４０を嵌着可能としている。
【００８８】
この上方仕切板２１と下方仕切板２２は、ポット本体２０の外周側面の所定位置上下２か所において水平に凹溝を刻設することでポット本体２０の内壁側へ突出させて形成している。
【００８９】
上方仕切板２１は中段の多孔質体配置空間Ｓ２と上段の整流空間Ｓ１を、下方仕切板２２は下段の発熱体収容空間Ｓ３と中段の多孔質体配置空間Ｓ２を、それぞれ区画している。
【００９０】
上方仕切板２１は、配設した多孔質体４０の外周縁近傍の上端面と当接し、多孔質体４０の下方で発生した熱水蒸気の熱膨張により多孔質体４０が下方側より付勢されて多孔質体４０の配設位置がずれてしまうことを防止している。
【００９１】
下方仕切板２２は、上方仕切板２１より長く形成して多孔質体４０を下側から係止可能とすると共に、配設した多孔質体４０の外周側近傍の下端面のうち外周側近傍領域Ｏを略半分以上被覆して発熱剤３１の熱を多孔質体４０へ伝えるよう機能する。
【００９２】
より具体的には、多孔質体４０上面にアロマ液収容ケース５０を載置した場合や多孔質体４０にアロマ液５１を含浸させた場合には、アロマ液収容ケース５０の重量やアロマ液５１を含浸した多孔質体４０自体の重みに対応して多孔質体４０の外周縁で多孔質体４０を下側から堅実に係止する。一方で、発熱時には、発熱剤３１による熱を多孔質体４０の外周側近傍領域Ｏの下端側から伝える部位として機能する。
【００９３】
多孔質体４０は、図６に示すように、前述した中央部領域Ｍに相当する円柱状のスポンジ４０ａと、外周側近傍領域Ｏに相当するドーナツ状のスポンジ４０ｂとで構成している。すなわち、円柱状のスポンジ４０ａに、スポンジ４０ａより小孔を小径口に形成したドーナツ状のスポンジ４０ｂを外嵌して構成している。
【００９４】
このような構成とすることにより、多孔質体４０の中央部領域Ｍにおけるアロマ液５１が流下移動して発熱体３０に滴下すると共に熱水蒸気が上方に通過する機能と、外周側近傍領域Ｏにおけるアロマ液５１の流下速度を遅延させると共にアロマ液５１を一定量保持する機能とが、極めて安定した状態で働くことを助長する。
【００９５】
〔実施例３〕
次に、実施例３として、図７を参照しながら説明する。なお、上述した実施例と同様の構成については同じ符号を付して説明を省略する。図７は、本実施例３に係るアロマセットＣの構成を示した側断面図である。
【００９６】
本実施例３に係るアロマセットＣを構成するアロマポット１０のポット本体２０は上面開口の有底筒状の円錐台に形成しており、図７に示すように、上面の径より長く形成した下面をアロマポット１０の設置面としてアロマポット１０の自立状態を安定させている。
【００９７】
ポット本体２０の内周壁長手方向の所定間隔を隔てた上下位置には、平面視ドーナツ状に形成された金属製部材の上方仕切板２１と下方仕切板２２とがそれぞれ水平に連設されている。
【００９８】
また、多孔質体４０は、ポット本体２０の内周側面に亘って接触可能な断面視台形状でポット本体２０の上方仕切板２１と下方仕切板２２との間の多孔質体配置空間Ｓ２に配設可能に形成している。
【００９９】
発熱体収容空間Ｓ３に配設されている発熱体３０は、水と反応して発熱する発熱剤３１と、発熱剤３１を収容する包装袋３２とで構成している。すなわち、発熱体３０は、所定容量の酸化カルシウムである発熱剤３１を透水性のアルミ素材からなる不織布で構成した包装袋３２に封入して構成しいる。
【０１００】
このような構成により、ポット本体２０内部の下面の略中央部に発熱体３０を配設固定することを容易とし、発熱体収容空間Ｓ３において発熱剤３１が散在することを防止する共に、発熱体３０へ滴下するアロマ液５１の発熱体３０に対する到達位置を安定させて発熱量を一定にすることができる。
【０１０１】
最後に、上述した各実施の形態の説明は本発明の一例であり、上述した各実施の形態以外であっても、本発明に係る技術的思想を逸脱しない範囲であれば、設計等に応じて種々の変更が可能であることは勿論である。
【符号の説明】
【０１０２】
Ａ  アロマセット
１０  アロマポット
２０  ポット本体
３０  発熱体
３１  発熱剤
４０  多孔質体
５０  アロマ液収容ケース
５１  アロマ液
【図４】
2017078529.tif 000003
【図１】
2017078529.tif 000004
【図２】
2017078529.tif 000005
【図３−１】
2017078529.tif 000006
【図３−２】
2017078529.tif 000007
【図５】
2017078529.tif 000008
【図６】
2017078529.tif 000009
【図７】
2017078529.tif 000010